(57)【特許請求の範囲】
【請求項１】
矩形状の鋼板の長辺側の二辺をコの字状もしくはＬ字状に内側に折り曲げて形成された折曲部を有する複数のフレームおよびパネルを備え、上記フレームおよびパネルは、上記折曲部において締結固定されたスイッチギヤ用筐体であって、
複数の上記フレームおよび上記パネルを接合して形成される筐体の底部は、矩形状の鋼板の長辺側の二辺をコの字状もしくはＬ字状に内側に折り曲げて形成され、上記筐体の前後に配置される底面用幅方向フレームと、矩形状の鋼板の長辺側の二辺をコの字状もしくはＬ字状に内側に折り曲げて形成され、上記筐体の左右に配置される底面用奥行方向フレームとを矩形状に接合することにより構成され、
上記筐体の天井部は、矩形状の鋼板の長辺側の二辺をコの字状もしくはＬ字状に内側に折り曲げて形成され、上記筐体の前後に配置される天井用幅方向フレームと、矩形状の鋼板の長辺側の二辺をコの字状もしくはＬ字状に内側に折り曲げて形成され、上記筐体の左右に配置される天井用奥行方向フレームとを矩形状に接合することにより構成され、
上記筐体の側面部は、矩形状の鋼板の長辺側の二辺をコの字状もしくはＬ字状に内側に折り曲げて形成され、上記筐体の後面に上記折り曲げ部を左右に位置して配置される背面パネルと、矩形状の鋼板の長辺側の二辺をコの字状もしくはＬ字状に内側に折り曲げて形成され、上記筐体の前面左右に配置される側面フレームからなり、上記背面パネルおよび左右の側面フレームの下端部を上記矩形状に接合されている底面用幅方向フレームと底面用奥行方向フレームに接合し、上記背面パネルおよび左右の側面フレームの上端部を上記矩形状に接合されている天井用幅方向フレームと天井用奥行方向フレームに接合することにより構成されていることを特徴とするスイッチギヤ用筐体。
【請求項２】
上記フレームおよび上記パネルの折曲部は、折り曲げ線が全て平行であり、かつ一方向に折り曲げて形成されることを特徴とする請求項１記載のスイッチギヤ用筐体。
【請求項３】
複数の上記フレームおよび上記パネルを接合して形成される筐体の底部を構成する底面用幅方向フレームと底面用奥行方向フレームには、コの字状に折り曲げ加工を施し、底面から離れた部分に底カバーの取付穴を設けたことを特徴とする請求項１又は請求項２に記載のスイッチギヤ用筐体。
【請求項４】
複数の上記フレームおよび上記パネルを接合して形成される筐体の天井部を構成する天井用幅方向フレームには、コの字状に折り曲げ加工を施すことにより制御用配線部材を収納するスペースを設けたことを特徴とする請求項１〜３のいずれか一項記載のスイッチギヤ用筐体。
【発明の詳細な説明】
【０００１】
【発明の属する技術分野】
この発明は、スイッチギヤ用筐体の構造に関するものである。
【０００２】
【従来の技術】
図５は従来のスイッチギヤ用筐体の分解した状態を示す斜視図である。図５において、従来のスイッチギヤ用筐体２０は、床板２１に枠状組立体２２、２３、２４が各々締結固定されて構成されている。また、枠状組立体２２および２４は、コの字状に折り曲げられた四本の柱材２５とＬ字状に折り曲げられた梁材２６とを溶接して枠状に組み立てられ、枠状組立体２３は四本の柱材２５と梁材２６、および取付板２７とを溶接して作成されている。
【０００３】
また、図６は従来の他のスイッチギヤ用筐体の分解した状態を示す斜視図である。図６において、従来のスイッチギヤ用筐体３０は、矩形状の鋼板の四辺をコの字状もしくはＬ字状に折り曲げて形成された床板３１と、他の矩形状の鋼板の四辺をコの字状もしくはＬ字状に折り曲げて形成された複数の側面板３２と、床板３１の左右に配設される側面板３２を連結する複数の梁材３３から構成され、床板３１、側面板３２および梁材３３の各折り曲げ部に設けた取り付け穴にボルトを挿通してナットで締着することにより組み立てられている。なお、図７は梁材３３の一例を示す拡大斜視図である。
【０００４】
【発明が解決しようとする課題】
従来のスイッチギヤ用筐体は以上のように構成されており、スイッチギヤ用筐体２０では、部品点数が多く、かつ構成部材の組立に技能（溶接技能者）および長い加工時間を要する溶接作業が必要不可欠であるという問題があった。
また、スイッチギヤ用筐体３０では、溶接作業を必要とせず、部品点数も削減できるが、床板３１、側面板３２および梁材３３の成形において、各々矩形状の鋼板の四辺を折り曲げる作業が必要であり、複数方向への曲げ加工は加工工程に多くの時間を要するという問題があった。
【０００５】
この発明は、上記のような問題点を解消するためになされたもので、筐体の製造工程において溶接作業を必要とせず、かつ各構成部材の曲げ加工時間の短縮が図れ、さらに部品点数を削減できると共に、従来と同等の機械的強度を有するスイッチギヤ用筐体を得ることを目的とする。
【０００６】
【課題を解決するための手段】
この発明に係わるスイッチギヤ用筐体は、矩形状の鋼板の長辺側の二辺をコの字状もしくはＬ字状に内側に折り曲げて形成された折曲部を有する複数のフレームおよびパネルを備え、フレームおよびパネルは、折曲部において締結固定されたスイッチギヤ用筐体であって、複数のフレームおよびパネルを接合して形成される筐体の底部は、筐体の前後に配置される底面用幅方向フレームと、左右に配置される底面用奥行方向フレームとを矩形状に接合することにより構成され、筐体の天井部は、筐体の前後に配置される天井用幅方向フレームと、左右に配置される天井用奥行方向フレームとを矩形状に接合することにより構成され、筐体の側面部は、筐体の後面に配置される背面パネルと、前面左右に配置される側面フレームからなり、背面パネルおよび左右の側面フレームの下端部を矩形状に接合されている底面用幅方向フレームと底面用奥行方向フレームに接合し、背面パネルおよび左右の側面フレームの上端部を矩形状に接合されている天井用幅方向フレームと天井用奥行方向フレームに接合することにより構成されているものである。
【０００７】
また、フレームおよびパネルの折曲部は、折り曲げ線が全て平行であり、かつ一方向に折り曲げて形成されるものである。
【０００８】
また、複数のフレームおよびパネルを接合して形成される筐体の底部を構成する底面用幅方向フレームと底面用奥行方向フレームには、コの字状に折り曲げ加工を施し、底面から離れた部分に底カバーの取付穴を設けたものである。
また、複数のフレームおよびパネルを接合して形成される筐体の天井部を構成する天井用幅方向フレームには、コの字状に曲げ加工を施すことにより制御用配線部材を収納するスペースを設けたものである。
【０００９】
【発明の実施の形態】
実施の形態１．
以下、この発明の一実施の形態であるスイッチギヤ用筐体を図について説明する。図１はこの発明の実施の形態１によるスイッチギヤ用筐体を示す斜視図、図２は図１に示すスイッチギヤ用筐体の分解斜視図である。
図において、１はスイッチギヤ用筐体（以下、筐体と称する）で、以下に示すフレームおよびパネルをリベットおよびボルトで接合することにより組み立てられている。
【００１０】
２、３、４は底面用幅方向フレームで、矩形状の鋼板の長辺側の二辺をコの字状に内側に折り曲げて成形され、底面用幅方向フレーム２は筐体１の前側、底面用幅方向フレーム３は筐体１の後側、底面用幅方向フレーム４は底面用幅方向フレーム２と底面用幅方向フレーム３の間に各々の長手方向を筐体１の幅方向に対して平行に配置している。
５、６は底面用奥行方向フレームで、矩形状の鋼板の対向する二辺をＬ字状とコの字状に内側に折り曲げて成形され、底面用奥行方向フレーム５は筐体１の右側、底面用奥行方向フレーム６は筐体１の左側に各々の長手方向を底面用幅方向フレーム２、３、４と直交するように配置している。
【００１１】
７、８は側面フレームで、矩形状の鋼板の長辺側の二辺をＬ字状とコの字状に内側に折り曲げて成形され、側面フレーム７は筐体１の右側、側面フレーム８は筐体１の左側に各々の長手方向を筐体１の床面に対して垂直方向に配置している。
９は背面パネルで、矩形状の鋼板の長辺側の二辺をコの字状に内側に折り曲げて成形され、背面パネル９の長手方向を筐体１の床面に対して垂直方向に配置し、すなわち側面フレーム７、８と平行に配置している。なお、筐体１の幅を拡張したい場合には、背面パネル９を複数枚連設することにより対応できる。
【００１２】
１０、１１は天井用幅方向フレームで、天井用幅方向フレーム１０は矩形状の鋼板の長辺側の二辺をＬ字状とコの字状に内側に折り曲げて成形され、長手方向を底面用幅方向フレーム２の上方に平行に配置し、天井用幅方向フレーム１１は矩形状の鋼板の長辺側の二辺をＬ字状に内側に折り曲げて成形され、長手方向を底面用幅方向フレーム３の上方に平行に配置している。
１２、１３は天井用奥行方向フレームで、矩形状の鋼板の対向する二辺をＬ字状に内側に折り曲げて成形され、天井用奥行方向フレーム１２は筐体１の右側、天井用奥行方向フレーム１３は筐体１の左側に各々の長手方向を天井用幅方向フレーム１０、１１に直交するように配置している。
【００１３】
底面用幅方向フレーム２、３と底面用奥行方向フレーム５、６とを接合することにより筐体１の底面部の矩形状外枠を構成し、天井用幅方向フレーム１０、１１と天井用奥行方向フレーム１２、１３とを接合することにより筐体１の天井部の矩形状外枠を構成し、底面用幅方向フレーム２、３と底面用奥行方向フレーム５、６とにより構成される底面部の矩形状外枠と、天井用幅方向フレーム１０、１１と天井用奥行方向フレーム１２、１３とにより構成される天井部の矩形状外枠とを、側面フレーム７、８および背面パネル９により連結することによって箱状の筐体１を構成している。
なお、各フレームおよびパネルにはそれぞれ接合する位置に穴が穿設されており、接合部を重ねてリベットもしくはボルトを挿入することにより各部材を締結固定している。
【００１４】
また、底面用幅方向フレーム２、３と底面用奥行方向フレーム５、６との重なる位置には基礎ボルトを差し込む楕円穴（例えば５ａ、６ａ等）が穿設されている。
また、側面フレーム７、８および天井用幅方向フレーム１０には制御用配線を通すための開口部７ａ、８ａ、１０ａが設けられている。
また、天井用奥行方向フレーム１２、１３には、筐体１の運搬時等に筐体１を吊り上げる際に必要な吊りボルトを取り付けるための吊り上げ用ナット１２ａ、１３ａが直接固定されており、この吊り上げ用ナット１２ａ、１３ａ部分に天井用幅方向フレーム１０、１１に設けられた吊りボルト用穴１０ｂ、１１ｂが重なるように構成されている。
【００１５】
なお、図３は底床面用幅方向フレーム２を示す拡大斜視図で、側面フレーム７、８と接合するための穴２ａ、およびコの字状に曲げ加工が施された部分に底カバー（図示せず）の取付穴２ｂが穿設加工されている。
また、図４は天井用幅方向フレーム１０を示す拡大斜視図で、制御用配線を通すための開口部１０ａ、側面フレーム７、８と接合するための穴１０ｃ、および吊りボルト用穴１０ｂが穿設加工され、また、筐体１の前面側となる部分にコの字状の曲げ加工１０ｄを施すことにより、制御用配線部材を収納するスペースを形成している。
【００１６】
本実施の形態によれば、筐体１を構成するフレームやパネル等の各部材は、矩形状の鋼板に曲げ加工を施し形成され、その折り曲げ線は全て平行であり、かつ一方向への曲げ加工により作成されるため、筐体１の構成部材の加工時間を短縮でき、かつ筐体１の組立においては各構成部材をリベットにより締結固定するため、組立が容易であり、組立に要する時間も削減することができる。
【００１７】
また、筐体１を構成するフレームやパネルは曲げ加工が施されて形成されているため、フレームおよびパネルの機械的強度を高めることができる。
また、筐体１の背面は一枚のパネル（背面パネル９）を用いて構成されかつパネルの両側に曲げ加工が施されているため、フレームのみで構成される構造より機械的強度を得ることができ、かつ背面カバーを省略することができる。
また、筐体１の吊り上げ時や据付後に局部的に大きな力が加わる吊りボルトや基礎ボルトが使用される部分は、複数のフレームの一部が重畳する構造となっており、筐体１の運搬時や据付後における機械的強度を確保することができ、また、天井用奥行方向フレーム１２、１３には、筐体１を吊り上げる際に必要な吊りボルトを使用するための吊り上げ用ナット１２ａ、１３ａが直接固定されているため、従来必要であった吊り上げ用部品を省略することができる。
【００１８】
また、底面のカバーは、底面用幅方向フレーム２、３、４および底面用奥行方向フレーム５、６のコの字状に曲げ加工が施されて床面から離れた部分に取付穴（２ｂ等）を設けてリベットやボルト等により固定されるため、底カバーを固定するためのボルトやリベットの先端が筐体１の底面から地面方向に突出していない。
また、天井用幅方向フレーム１０にコの字状の曲げ加工１０ｄを施してスペースを確保し、このスペースに制御用配線部材を収納することにより、従来制御用配線部材を収納するために筐体の外部に取り付けていた制御配線用収納ダクトを省略することができる。
【００１９】
【発明の効果】
以上のように、この発明によれば、スイッチギヤ用筐体を構成するフレームやパネル等の各部材は、矩形状の鋼板の長辺側の二辺をコの字状もしくはＬ字状に内側に折り曲げて形成された折曲部を有する複数のフレームおよびパネルを備え、フレームおよびパネルは、折曲部において締結固定されたスイッチギヤ用筐体であって、筐体の底部は、筐体の前後に配置される底面用幅方向フレームと左右に配置される底面用奥行方向フレームとを矩形状に接合し、筐体の天井部は、筐体の前後に配置される天井用幅方向フレームと左右に配置される天井用奥行方向フレームとを矩形状に接合し、筐体の側面部は、筐体の後面に配置される背面パネルと前面左右に配置される側面フレームからなり、背面パネルおよび左右の側面フレームの下端部を底面部の両フレームに接合し、背面パネルおよび左右の側面フレームの上部を天井部の両フレームに接合することにより構成したので、溶接作業が不要となり、スイッチギヤ用筐体の製造において、筐体の組立が容易に行えかつ作業時間を短縮することができ、さらに従来の溶接構造と同程度の機械的強度を有するスイッチギヤ用筐体を得ることができる。
【００２０】
また、フレームおよびパネルの折曲部は、折り曲げ線が全て平行であり、かつ一方向に折り曲げて形成したので、各構成部材の加工が容易になる。
また、筐体の背面を一枚のパネルで構成することにより、フレームのみで構成する場合に比して筐体の機械的強度を高めることができ、かつ背面カバーを省略できる。
【００２１】
また、底面のカバーは、筐体の底部を構成するフレームのコの字状に曲げ加工が施されて底面から離れた部分にリベットやボルト等により固定されるため、床カバーを固定するためのボルトやリベットの先端がスイッチギヤ用筐体の底面から突出するのを防止でき、スイッチギヤ用筐体を安定な状態で設置することができる。
また、筐体の天井部に配置されるフレームにコの字状の曲げ加工を施してスペースを設け、このスペースに制御用配線部材を収納することにより、従来制御用配線部材を収納するために筐体の外部に取り付けていた制御配線用収納ダクトが不要となり、スイッチギヤ用筐体を構成する部品点数を削減することができる。
【図面の簡単な説明】
【図１】  この発明の実施の形態１によるスイッチギヤ用筐体を示す斜視図である。
【図２】  この発明の実施の形態１によるスイッチギヤ用筐体の分解した状態を示す斜視図である。
【図３】  この発明の実施の形態１によるスイッチギヤ用筐体の構成部材の一例を示す拡大図である。
【図４】  この発明の実施の形態１によるスイッチギヤ用筐体の構成部材の一例を示す拡大図である。
【図５】  従来のこの種スイッチギヤ用筐体の分解した状態を示す斜視図である。
【図６】  従来の他のスイッチギヤ用筐体の分解した状態を示す斜視図である。
【図７】  図６に示すスイッチギヤ用筐体の構成部材の一例を示す拡大図である。
【符号の説明】
１  スイッチギヤ用筐体、２、３、４  底面用幅方向フレーム、
５、６  底面用奥行方向フレーム、７、８  側面フレーム、９  背面パネル、
１０、１１  天井用幅方向フレーム、１２、１３  天井用奥行方向フレーム。
【図１】
0004404496.tif 000002
【図２】
0004404496.tif 000003
【図３】
0004404496.tif 000004
【図４】
0004404496.tif 000005
【図５】
0004404496.tif 000006
【図６】
0004404496.tif 000007
【図７】
0004404496.tif 000008